(57)【特許請求の範囲】
【請求項１】
各方向からの個別の目視用に一つの表示画面上に複数の画像を同時に表示する多重画像表示装置において、
上記一つの表示画面上に同時に表示される複数の画像のうち、ある画像を操作するためにユーザにより指定される、表示画面上のある領域を指示用領域と称するとき、
上記一つの表示画面上に同時に表示される複数の画像のうちのある画像用の指示用領域と、別のある画像用の指示用領域とが同時に表示されるときには、両指示用領域が、同一表示画面内の異なる位置に表示されるように、各指示用領域の配置を制御するレイアウト制御部を備え、
表示画面上に表示する画像を提供するソフトウエアをアプリケーションと称するとき、
上記レイアウト制御部が、
表示画面上で指示用領域として指定しうる複数の領域の一部を第１のアプリケーションに予め割り当て、残りの領域の一部を上記第１のアプリケーションとは異なる第２のアプリケーションに予め割り当て、いずれのアプリケーションにも割り当てられていない領域を第１および第２のアプリケーションの共有の指示用領域として設定し、上記第１または第２のアプリケーションによる指示用領域のさらなる要求があった場合には、それ用の指示用領域として、上記共有の指示用領域の少なくとも一部を割り当てることを特徴とする多重画像表示装置。
【請求項２】
コンピュータを請求項１に記載の多重画像表示装置におけるレイアウト制御部として機能させるためのプログラムであることを特徴とする多重画像表示プログラム。
【請求項３】
請求項２に記載の多重画像表示プログラムを記録したことを特徴とするコンピュータ読み取り可能な記録媒体。
【発明の詳細な説明】
【技術分野】
【０００１】  本発明は、表示部に情報入力手段を備えてなる、複数の視点に対して異なる画像を表示することが可能な多重画像表示装置、多重画像表示プログラムおよびそれを記録したコンピュータ読み取り可能な記録媒体に関するものである。
【背景技術】
【０００２】  従来から、表示部に情報入力手段を備えてなる、複数の視点に対して異なる画像を表示することが可能な画面入力機能付多重画像表示装置が広く使われている。【０００３】  同一画面で左右に異なる表示が可能な多重画像表示装置として、デュアルビューディスプレイが、例えば、特許文献１ないし９に示されている。例えば、液晶等の表示装置にタッチパネル（表示部上の情報入力手段）を組み合わせるものがある。【０００４】  また、デュアルビュー画面では、例えば、図１６に示すように、右側から見るとカーナビ（カーナビゲーション）画面であり、左から見るとＤＶＤ画像の画面となっている。
【特許文献１】特開昭６２−５７３９２号公報（１９８７年３月１３日公開）
【特許文献２】特開昭６３−１８２６３２号公報（１９８８年７月２７日公開）
【特許文献３】特開平３−２３０６９９号公報（１９９１年１０月１４日公開）
【特許文献４】特開平６−１９５０４９号公報（１９９４年７月１５日公開）
【特許文献５】特許３１３３４７８号公報（２００１年２月５日発行）
【特許文献６】特許３３９８９９９号公報（２００３年４月２１日発行）
【特許文献７】特許３１８４０６９号公報（２００１年７月９日発行）
【特許文献８】特開２０００−１３７４４３号公報（２０００年５月１６日公開）
【特許文献９】特開２００４−２０６０８９号公報（２００４年７月２２日公開）
【発明の開示】
【発明が解決しようとする課題】
【０００５】  しかしながら、多重画像表示装置に情報入力手段（デュアルビューディスプレイにタッチパネル）を組み合わせた場合、画像上の入力ボタン位置が重なってしまうという問題があった。【０００６】  すなわち、図１７に示すように、右からは、右側画像７１が見える。右側画像７１は、右側本体画像７１ａと、右側用入力ボタン７１ｂ、７１ｃ、７１ｄ、７１ｅとから成る。左からは、左側画像７２が見える。左側画像７２は、左側本体画像７２ａと、左側用入力ボタン７２ｂ、７２ｃ、７２ｄ、７２ｅとから成る。右側用入力ボタンと左側用入力ボタンとは、いずれも画面の最下部にあるので、重なっている。重なると、多重画像表示装置側では、どのような入力ボタンが押されたのかを正しく判断することができない。【０００７】  本発明は、上記の問題点に鑑みてなされたものであり、その目的は、画像上の入力ボタン等の、ある画像を操作するためにユーザにより指定される、表示画面上のある領域を指示用領域について、位置が重なるのを防ぐことができる多重画像表示装置、多重画像表示プログラムおよびそれを記録したコンピュータ読み取り可能な記録媒体を実現することにある。
【課題を解決するための手段】
【０００８】  上記の課題を解決するため、本発明に係る多重画像表示装置は、各方向からの個別の目視用に一つの表示画面上に複数の画像を同時に表示する多重画像表示装置において、上記一つの表示画面上に同時に表示される複数の画像のうち、ある画像を操作するためにユーザにより指定される、表示画面上のある領域を指示用領域と称するとき、上記一つの表示画面上に同時に表示される複数の画像のうちのある画像用の指示用領域と、別のある画像用の指示用領域とが同時に表示されるときには、両指示用領域が、同一表示画面内の異なる位置に表示されるように、各指示用領域の配置を制御するレイアウト制御部を備えたことを特徴としている。【０００９】  上記の構成により、多重画像表示装置にて、各方向からの個別の目視用に一つの表示画面上に同時に表示される複数の画像のうち、ある画像を操作するためにユーザにより指定される、表示画面上のある領域を指示用領域と称するとき、上記一つの表示画面上に同時に表示される複数の画像のうちのある画像用の指示用領域と、別のある画像用の指示用領域とが同時に表示されるときには、両指示用領域が、同一表示画面内の異なる（すなわち、重ならない）位置に表示されるように、各指示用領域の配置が制御される。【００１０】  したがって、ある画像の操作用の指示用領域を指定した場合は、それは必ず、同時に表示されている他のどの画像用の指示用領域でもないことになる。それゆえ、画像上の入力ボタン等の、ある画像を操作するためにユーザにより指定される、表示画面上のある領域を指示用領域について、位置が重なるのを防ぐことができるという効果を奏する。
【発明の効果】
【００１１】  以上のように、本発明に係る多重画像表示装置は、上記一つの表示画面上に同時に表示される複数の画像のうち、ある画像を操作するためにユーザにより指定される、表示画面上のある領域を指示用領域と称するとき、上記一つの表示画面上に同時に表示される複数の画像のうちのある画像用の指示用領域と、別のある画像用の指示用領域とが同時に表示されるときには、両指示用領域が、同一表示画面内の異なる位置に表示されるように、各指示用領域の配置を制御するレイアウト制御部を備えた構成である。【００１２】  これにより、ある画像の操作用の指示用領域を指定した場合は、それは必ず、同時に表示されている他のどの画像用の指示用領域でもないことになる。それゆえ、画像上の入力ボタン等の、ある画像を操作するためにユーザにより指定される、表示画面上のある領域を指示用領域について、位置が重なるのを防ぐことができるという効果を奏する。【００１３】  本発明のさらに他の目的、特徴、および優れた点は、以下に示す記載によって十分わかるであろう。また、本発明の利益は、添付図面を参照した次の説明で明白になるであろう。
【図面の簡単な説明】
【００１４】
【図１】本発明に係る多重画像表示装置の一構成例を示すブロック図である。
【図２】本発明に係る多重画像表示装置における多重画像表示処理を示すフローチャートである。
【図３】画面入力位置が重なっている場合の画面入力位置の再レイアウト前の状態を示す図である。
【図４】画面入力位置が重なっている場合の画面入力位置の再レイアウト後の状態を示す図である。
【図５】画面入力位置が重なっている場合の画面入力位置の再レイアウト後の状態を示す図である。
【図６】画面入力位置が重なっている場合の画面入力位置の再レイアウト後の状態を示す図である。
【図７】再レイアウト処理のバリエーションを示す図である。
【図８】各領域の各画面への割り当ての例を示す図である。
【図９】各領域の各画面への割り当ての例を示す図である。
【図１０】各領域の各画面への割り当ての例を示す図である。
【図１１】各領域の各画面への割り当ての例を示す図である。
【図１２】各領域の各画面への登録の例を示す図である。
【図１３】各領域の各画面への登録の例を示す図である。
【図１４】各領域の各画面への割り当ておよび登録の例を示す図である。
【図１５】非入力用領域を備えた画面の例を示す図である。
【図１６】従来の多重画像表示装置であるデュアルビュー液晶の見え方を示す図である。
【図１７】従来の多重画像表示装置であるデュアルビュー液晶の見え方を示す図である。
【符号の説明】
【００１５】  １１    操作部
１２    Ａ画像取得部
１３    Ａ画像制御部
１４    Ｂ画像取得部
１５    Ｂ画像制御部
１６    レイアウト制御部
１８    画像合成部
１９    表示部（表示画面）
３１    右側画像
３１ａ  右側本体画像
３１ｂ、３１ｃ、３１ｄ、３１ｅ    右側用入力ボタン
３２    左側画像
３２ａ  左側本体画像
３２ｂ、３２ｃ、３２ｄ、３２ｅ    左側用入力ボタン
４０    表示画面
４１    入力用領域
４２    非入力用領域
【発明を実施するための最良の形態】
【００１６】  本発明は、各方向からの個別の目視用に一つの表示画面上に複数の画像を同時に表示する多重画像表示装置であり、ここでは特に、表示画面に向かって右から見た場合と左から見た場合とで別々の画像を表示する二重画像表示装置（デュアルビューディスプレイ）である。ここでは、右から見た画像をＡ画像と称し、左から見た画像をＢ画像と称する。【００１７】  また、ユーザからの指示を受けるものとして、表示画面上の、ある画像を操作するためにユーザにより指定される領域である指示用領域を、ユーザが指定する方式を採用している。ある画像を操作するためにユーザにより指定される領域とは、例えば、ポインティング（クリックなど）することで「押す」入力ボタン（入力ボタン）である。なお、押すタイプのいわゆる入力ボタンに限らず、スライドバーのように表示画面上をずらすようなものも含まれる。このような画面入力機能として、ここではタッチパネルを用いている。【００１８】  なお、本発明は、タッチパネル以外のポインティングデバイス（マウスやトラックボールなど）を使う場合にも適用できる。【００１９】  多重画像表示装置は、公知のデュアルビュー液晶を用いることができる。【００２０】  本形態は、車載向けにニーズの高い、タッチパネル付きのデュアルビュー液晶、例えば運転席にはナビ（カーナビゲーション）画面、助手席にはテレビやＤＶＤの操作画面での使用が考えられる。【００２１】  本形態の多重画像表示装置は、上記のようにデュアルビュー液晶の表示画面に、指示用領域となる入力用領域としてタッチパネルを用い、後述のように、ユーザからの指示を、多重画像表示ソフトウエアを実行するＣＰＵ（中央演算処理部）が受け、多重画像表示（多重画像表示プログラム）を実行することによって動作するものである。【００２２】  また、多重画像表示ソフトウエアおよびＧＵＩ（グラフィックユーザインターフェース）プログラムの制御下でこの表示画面上に表示する各画像を提供するソフトウエアを以下では単にアプリケーションと称する。例えば、ＤＶＤ画像表示用プログラム、カーナビプログラム、テレビ画像表示用プログラム、テレビゲーム用プログラム、空調その他情報機器などの操作プログラムなどが挙げられる。これらのアプリケーションは、多重画像表示装置にユーザが任意にインストール可能な、あるいはあらかじめ多重画像表示装置が機能として持っているものである。【００２３】  ＧＵＩは、表示画面上のどの位置の入力ボタンが押されたかを検出して、各アプリケーションに、どの機能が押された（指定された）かを伝えるようになっており、各アプリケーションは、ＧＵＩから、「どの機能が押されたか」の通知を受けるようになっている。【００２４】  図１に示すように、本多重画像表示装置は、操作部１１、Ａ画像取得部１２、Ａ画像制御部１３、Ｂ画像取得部１４、Ｂ画像制御部１５、レイアウト制御部１６、画像合成部１８、表示部１９を備えている。Ａ画像取得部１２、Ａ画像制御部１３、Ｂ画像取得部１４、Ｂ画像制御部１５、レイアウト制御部１６、画像合成部１８は、上記ＣＰＵが多重画像表示ソフトウエアを実行することで実現される機能モジュールである。レイアウト制御部１６は、多重画像表示を実行するものである。Ａ画像制御部１３・Ｂ画像制御部１５は上記ＧＵＩである。操作部１１は、ユーザが、アプリケーションを選択したり電源のオンオフをしたりするためのものである。表示部１９は表示画面である。【００２５】  本発明の多重画像表示装置においては、各方向からの個別の目視用に一つの表示部１９上に同時に表示される複数の画像のうち、ある画像を操作するためにユーザにより指定される、表示画面上のある領域を指示用領域と称するとき、レイアウト制御部１６によって、表示部１９上に同時に表示される複数の画像のうちのある画像用の指示用領域と別のある画像用の指示用領域とが同時に表示されるときには、両指示用領域が同一の表示部１９内の異なる（すなわち、重ならない）位置に表示されるように、各指示用領域の配置が制御される。したがって、画像上の入力ボタン等の、ある画像を操作するためにユーザにより指定される、表示画面上のある領域を指示用領域について、位置が重なるのを防ぐことができるようになっている。これにより、各画面で多重画像表示装置にユーザの指示を正しく伝えることができる。【００２６】  本構成では、ユーザの好みに応じて、処理の形態を選択できるようになっている。例えば、指示用領域の重なることを検出して修正するようにもできる。または、重ならないように事前に指示用領域の位置を調整しておく（表示後に追加可能な構成とすることもできる）ようにもでき、アプリケーションからの要求の都度、指示用領域を決めるようにもでき、また、両者の複合形態とすることもできる。これらについて順に説明する。【００２７】  まず、指示用領域の重なりを検出して修正する形態について述べる。【００２８】  前述のように、画像上のタッチパネル入力位置（以下、入力ボタン）が、一方の画像と重なっていると、タッチパネルの機能がうまく働かない。【００２９】  そこで、デュアルビュー表示を行う際に、図２に示すように、ユーザが操作部１１にてアプリケーションを選択すると、Ａ画像取得部１２・Ｂ画像取得部１４が２つの画像を各アプリケーションから取得し（Ｓ１１）、レイアウト制御部１６が、その２つの画像の入力ボタンの位置を比較し（Ｓ１２）、入力ボタンの位置の重なりの有無を確認する（Ｓ１３）。【００３０】  もし、入力ボタン同士で重なりがある場合や、近接する入力ボタンがある場合は、画像の再レイアウトを行う（Ｓ１４）。ここで、画像のレイアウト処理とは、上記ＧＵＩに対し、各入力ボタンの位置を指示することである。近接・非近接の境界は、あらかじめユーザが設定できるようにしてもよいし、あらかじめ多重画像表示装置内で決めておくようになっていてもよい。例えば何画素分、あるいは何インチ分、などのように決めておけばよい。Ａ画像制御部１３・Ｂ画像制御部１５は、再レイアウトの指示があった場合はその指示に沿って、なかった場合は標準（既定）のままで、入力ボタンを配置済みの各画像のデータを作成する。画像合成部１８は、２つの画像を、公知の二重画像表示装置の規定の方法に則って合成する。表示部１９は、合成された画像を表示する。【００３１】  重なりや近接がない場合は、表示部１９は、そのまま多重画像を表示する（Ｓ１５）。【００３２���  このときの画面イメージを図３ないし図６に示す。【００３３】  図３は、再レイアウト処理を行わない場合である。右からは、Ａ画像として右側画像３１が見える。右側画像３１は、右側本体画像３１ａと、右側用入力ボタン３１ｂ、３１ｃ、３１ｄ、３１ｅとから成る。左からは、Ｂ画像として左側画像３２が見える。左側画像３２は、左側本体画像３２ａと、左側用入力ボタン３２ｂ、３２ｃ、３２ｄ、３２ｅとから成る。本体画像とは、各画像のうち、入力ボタン以外の部分、すなわちユーザからの指示を受けない領域であり、例えばテレビならテレビ映像、ＤＶＤならＤＶＤ再生映像などである。【００３４】  図４は、図３の場合に対し、右側画像はそのままで、左側画像については、左側用入力ボタンをすべて、右側用入力ボタンと重ならないよう、画面上、上側へずらした場合である。【００３５】  図５は、図３の場合に対し、右側画像はそのままで、左側画像については、左側用入力ボタンをすべて、右側用入力ボタンと重ならないよう、画面上、左の辺に沿った位置へずらした場合である。【００３６】  図４、図５のように、入力ボタンの位置は、いくつかの入力ボタンをひとまとめの群にして移動させてもよい。【００３７】  図６は、図３の場合に対し、右側画像・左側画像とも、相手の入力ボタンと重ならないよう、各入力ボタンのサイズを縮小した場合である。【００３８】  なお、共通の入力ボタン、例えば「デュアルビューと単独ビューへの相互切り替えスイッチ」については、重なったままでもよい。【００３９】  一方の画面がナビ画面の場合は、画面上で地図が表示された部分が入力ボタンとなるときには、他方の画面の入力ボタンは、隅に固まるような配置にすることが好ましい。【００４０】  近接する入力ボタン間には、隙間が空いていても接触していてもよいが、隙間（空白）の部分を設けることで、誤入力が少なくなるので好ましい。【００４１】  画像の再レイアウトのバリエーションを図７に示す。パターン１、６のように、入力ボタンの大きさを変えてもよい。パターン２〜５のように、入力ボタンの位置を上下左右にずらしてもよい。【００４２】  なお、一つの多重画像表示装置にインストールされている２つのアプリケーションａ、ｂがあって、「アプリケーションａは、右端の一列に入力ボタンを有し、アプリケーションｂは、左端の一列に入力ボタンを有する。」などのように、初めから、アプリケーション同士で入力ボタンが重ならないような特定の位置に、アプリケーションごとに（すなわち、右側から見るか左側から見るかを問わず）入力ボタン位置が固定されていてもよい。例えば、車載用ディスプレイを想定した場合、運転中には運転席側にはテレビ（というアプリケーション）は見られないようにすべきであり、また助手席側には運転に必要な情報（例えばエンジンの状態など）は表示する必然性がある。このような場合には、レイアウト制御部１６またはＧＵＩが、アプリケーションごとに入力ボタン位置を固定するようになっていることが好ましい。例えば、右ハンドルの車であることを操作部１１から入力しておけば、エンジンの状態を表示するアプリケーションについては右端の一列に入力ボタンを有し、テレビ画像を表示するアプリケーションについては左端の一列に入力ボタンを有するようにする。【００４３】  次に、指示用領域が重ならないように事前に指示用領域の位置を調整しておく形態について述べる。【００４４】  これは、表示画面上で指示用領域として指定しうる領域のうちの全部をあらかじめいずれかのアプリケーションに登録するものである。【００４５】  図８に示すように、表示画面のうち、最上段からいくつかの横の行までの範囲はＡ画像用の指示用領域として決めて割り当てておき、残りの行の範囲はＢ画像用の指示用領域として決めて割り当てておく。例えば、表示画面の上半分はＡ画像用、下半分はＢ画像用である。【００４６】  または、図９に示すように、表示画面の縦の列を、Ａ画像用、Ｂ画像用、Ａ画像用、Ｂ画像用、…とのように交互に割り当てる。【００４７】  または、図１０に示すように、表示画面内を、格子状に、Ａ画像用、Ｂ画像用、Ａ画像用、Ｂ画像用、…とのように割り当てる。【００４８】  または、図１１に示すように、表示画面内の周辺の領域をＡ画像用に割り当て、中央部の領域をＢ画像用に割り当てる。【００４９】  これら以外にもバリエーションは可能である。【００５０】  デュアルビュー表示を行う際に、ユーザが操作部１１にてアプリケーションを選択すると、それらのアプリケーションの使用前に、Ａ画像取得部１２・Ｂ画像取得部１４が２つの画像を各アプリケーションから取得し、レイアウト制御部１６が、その２つの画像の入力ボタンの位置を、上記図８ないし図１１に例示したようにあらかじめ決められている配置に則って画像のレイアウトを行う。Ａ画像制御部１３・Ｂ画像制御部１５は、レイアウトの指示に沿い、入力ボタンを配置済みの各画像のデータを作成する。画像合成部１８は、２つの画像を、公知の二重画像表示装置の規定の方法に則って合成する。表示部１９は、合成された画像を表示する。【００５１】  なお、カーナビは、画面上地図が表示された部分が入力ボタンとなる性質上、広い範囲が入力ボタン領域となる。そのため、「あらかじめ右側画面で入力ボタンが表示できるエリアと、左側画面で入力ボタンが表示できるエリアを決めておく」という規定に従ってこのように広い範囲を例えば右側用として設定すると、カーナビ以外のアプリケーションのときにあまり適切とはいえなくなる。同様に、カーナビ以外のアプリケーションに合わせておくと、カーナビのときには狭く、適切とはいえなくなる。そこで、このようなケースには、以下のようにすることができる。【００５２】  通常は、各アプリケーション（右側、左側共に、カーナビアプリケーションを含む）において、表示画面の一部の領域に入力ボタンとして表示された部分のみを入力として受け付ける（この状態を部分入力モードとする）。【００５３】  もし、カーナビで「地図全体を入力」したい場合は、ユーザは、カーナビアプリケーション上に表示された「地点入力（目的地入力）画面」（この状態を全体入力モードとする）に切り替える指示を入力するために設けられた入力ボタンを押す。この入力ボタンが押されると、全体入力モードとなり、目的地を入力するための地図が表示されるとともに、表示画面全体がそのアプリケーション（地図）用の指示用領域となる。全体入��モードが解除されるまでは、相手側（反対側）のアプリケーションからは、一切の入力ボタンを消し、何も入力できないように、レイアウト制御部１６が制御する。【００５４】  カーナビアプリケーションで「地点入力」が終わった場合、すなわち、アプリケーションからの要求に応じた入力として地図入力があった場合や、あるいは地図入力をやめてカーナビ内の地図以外の画面に移る指示の入力があった場合、あるいはカーナビアプリケーション自体を終了する指示の入力があった場合、あるいは適当な時間（例えば３０秒）入力がなかった（タイムアウト）場合には、全体入力モードが解除されて部分入力モードに戻り、指示用領域を要するいずれの画像においても通常の入力ボタン表示を行い、入力を受け付けるように、レイアウト制御部１６が制御する。【００５５】  次に、アプリケーションからの要求の都度、指示用領域を決める形態について述べる。【００５６】  図１２に示すように、Ａ画像用のある使用中のアプリケーションが、表示画面の上側の領域を指示用領域として要求した場合や、それ以外にもユーザがそのように希望した場合には、該領域にＡ画像用の指示用領域が設定（登録）される。その設定が済んだ後で、Ｂ画像用のある使用中のアプリケーションが、表示画面の下側の領域を指示用領域として要求した場合や、いずれかの任意の領域を指示用領域として要求した場合や、それ以外にもユーザが希望した場合には、例えば表示画面の下側の領域であって、上記のＡ画像用の指示用領域とは異なる領域、すなわち未登録の領域に、Ｂ画像用の指示用領域が設定（登録）される。【００５７】  これ以外にもバリエーションは可能である。【００５８】  デュアルビュー表示を行う際に、ユーザが操作部１１にてアプリケーションを選択すると、２つのうちの一方、図１２の場合ではＡ画像取得部１２がＡ画像をアプリケーションから取得し、レイアウト制御部１６が、その１つの画像の入力ボタンの位置を、上記図１２に例示したように割り当てる。Ａ画像制御部１３は、レイアウトの指示に沿い、入力ボタンを配置済みの各画像のデータを作成する。画像合成部１８は、２つの画像を、公知の二重画像表示装置の規定の方法に則って合成する。表示部１９は、合成された画像を表示する。【００５９】  その後、２つのうちの残りの一方、図１２の場合ではＢ画像取得部１４がＢ画像をアプリケーションから取得し、レイアウト制御部１６が、その１つの画像の入力ボタンの位置を、上記図１２に例示したように割り当てる。Ｂ画像制御部１５は、レイアウトの指示に沿い、入力ボタンを配置済みの各画像のデータを作成する。画像合成部１８は、２つの画像を、公知の二重画像表示装置の規定の方法に則って合成する。表示部１９は、合成された画像を表示する。【００６０】  次に、指示用領域が重ならないように事前に指示用領域の位置を調整しておくとともに、アプリケーションからの要求の都度、指示用領域を決めることもできる形態について述べる。【００６１】  図１４に示すように、図８〜図１１の形態同様、あらかじめＡ画像用指示用領域とＢ画像用指示用領域とを決めておく。ここでは図８のように表示画面上下で分けている。ただし、図８〜図１１の形態とは異なり、表示���面上で指示用領域として指定しうる領域のうちの全部をあらかじめいずれかのアプリケーションに登録するのではなく、表示画面上で指示用領域として指定しうる領域のうちの一部のみをあらかじめいずれかのアプリケーションに登録し、残り（図１４の例では中央の２行）は、最初は、いずれのアプリケーションにも属さない、共用の領域である。Ａ、Ｂいずれかのアプリケーションから、上記あらかじめ登録された指示用領域だけでは足らない場合などに、追加の指示用領域の要求が出された場合などには、レイアウト制御部が、共用の領域からいくつかあるいは全部を選択し、その要求を出したアプリケーション用の指示用領域に割り当てるようになっている。【００６２】  上述のいずれの場合においても、指示用領域と指示用領域との間には隙間（空白）領域があったほうが、ユーザが押し間違えにくく、誤入力を減らすことができるので好ましい。すなわち、図１５に示すように、表示画面４０は、指示用領域である入力用領域４１と、指示用領域同士の隙間である非入力用領域４２とに分けるようにすることができる。非入力用領域４２は、入力用には使用しない領域である。表示画面４０上を縦・横に間隔をおいて非入力用領域４２の線が走り、その線で囲まれた領域が入力用領域４１となっている。非入力用領域４２では、本体画像を表示してもよいし、何も表示しなくてもよい。入力用領域４１とは異なる単一の色であったほうが、より押し間違えしにくくなるので好ましい。【００６３】  本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【００６４】  なお、上記実施形態の多重画像表示装置の各部や各処理ステップは、ＣＰＵなどの演算手段が、ＲＯＭ（Ｒｅａｄ  Ｏｎｌｙ  Ｍｅｍｏｒｙ）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の多重画像表示装置の各種機能および各種処理を実現することができる。また、上記プログラムをリムーバブルな記録媒体に記録することにより、任意のコンピュータ上で上記の各種機能および各種処理を実現することができる。【００６５】  この記録媒体としては、マイクロコンピュータで処理を行うために図示しないメモリ、例えばＲＯＭのようなものがプログラムメディアであっても良いし、また、図示していないが外部記憶装置としてプログラム読み取り装置が設けられ、そこに記録媒体を挿入することにより読み取り可能なプログラムメディアであっても良い。【００６６】  また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプ��グラムが実行される方式であることが好ましい。なお、このダウンロード用のプログラムは予め本体装置に格納されているものとする。【００６７】  また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュＲＯＭ等による半導体メモリを含めた固定的にプログラムを担持する記録媒体等がある。【００６８】  また、インターネットを含む通信ネットワークを接続可能なシステム構成であれば、通信ネットワークからプログラムをダウンロードするように流動的にプログラムを担持する記録媒体であることが好ましい。【００６９】  さらに、このように通信ネットワークからプログラムをダウンロードする場合には、そのダウンロード用のプログラムは予め本体装置に格納しておくか、あるいは別な記録媒体からインストールされるものであることが好ましい。【００７０】  なお、本発明に係る多重画像表示装置は、画面上のタッチパネル用入力ボタンを表示しているエリアを、左右画面で互いに重なりあわないように表示するように構成してもよい。【００７１】  また、本発明に係る多重画像表示装置は、上記構成において、あらかじめ右側画面で入力ボタンが表示できるエリアと、左側画面で入力ボタンが表示できるエリアを決めておき、それらが互いに重なり合わないようにするように構成してもよい。【００７２】  また、本発明に係る多重画像表示装置は、上記構成において、入力ボタン領域のうち、入力ボタンとして使用した部分を登録し、相手側画面が利用していない場所に入力ボタンを表示するように構成してもよい。【００７３】  また、本発明に係る多重画像表示装置は、上記構成において、上記２番目と３番目との組み合わせであるように構成してもよい。【００７４】  また、本発明に係る多重画像表示装置は、
複数の視点に対して異なる画像を表示することが可能な画面入力機能付多重画像表示装置であって、
画像上に設けられた前記画面入力機能の画面入力位置と、他の画像の画面入力位置の重なりを比較検出する比較検出手段と、
少なくとも画面入力位置を再レイアウトする再レイアウト制御手段を有し、
画面入力位置が重なっている場合に、少なくとも画面入力位置を再レイアウトして表示を行うように構成してもよい。【００７５】  上記の構成とすることにより、画面入力機能付多重画像表示装置を使用する複数のユーザーに対して、それぞれの画像に応じた視覚的な入力手段（画面入力装置）を提供することが可能となる。ここで、画面入力機能とは、指やペンなどによる接触が行われた場所の位置検出を行う入力装置であるタッチセンサやタッチパネル等であり、特に、本多重画像表示装置を車載表示装置として用い、例えば、運転席用にタッチパネル付きナビ画面、助手席用にはＡＶシステムや空調、その他情報機器などの操作画面を提供することが可能となる。【００７６】  そして、上記の構成とすることにより、画面入力機能付多重画像表示装置を使用する複数のユーザーに対して、特別なハードウエアの追加なしに、１つのタッチパネルで、それぞれの画像に応じた視覚的な入力手段を提供することができる。【００７７】  以上のように、本発明に係る多重画像表示装置は、表示画面上に表示する画像を提供するソフトウエアをアプリケーションと称するとき、上記レイアウト制御部が、上記一つの表示画面上に同時に表示される画像同士について、表示される前から、それぞれの指示用領域が互いに異なる位置に配置されるように、指示用領域をあらかじめ各アプリケーションに割り当てることが好ましい。【００７８】  上記の構成により、上記一つの表示画面上に同時に表示される画像同士について、それぞれの指示用領域が互いに異なる位置に配置されるように、指示用領域があらかじめ各アプリケーションに割り当てられる。したがって、指示用領域の位置を一旦決めて重なっていれば重ならないように調整する、という処理を省略することができる。それゆえ、上記の構成による効果に加えて、より簡素な構成で指示用領域を区別できるという効果を奏する。【００７９】  また、本発明に係る多重画像表示装置は、上記の構成に加えて、表示画面上に表示する画像を提供するソフトウエアをアプリケーションと称するとき、上記レイアウト制御部が、上記一つの表示画面上に同時に表示される画像のうち、ある画像のアプリケーションによる指示用領域の要求に対してそれ用の指示用領域として領域を割り当て、別のある画像のアプリケーションによる指示用領域の要求に対しては、まだ割り当てられていない領域のなかから、それ用の指示用領域として領域を割り当てることが好ましい。【００８０】  上記の構成により、上記一つの表示画面上に同時に表示される画像のうち、ある画像のアプリケーションによる指示用領域の要求に対してそれ用の指示用領域として領域が割り当てられ、別のある画像のアプリケーションによる指示用領域の要求に対しては、まだ割り当てられていない領域のなかから、それ用の指示用領域として領域が割り当てられる。したがって、同時に画像を表示させるアプリケーションのうちの一つ（自分アプリケーション）からみれば、他（相手アプリケーション）さえ使用していなければ、自分アプリケーション用の指示用領域を増やすことで、十分に自分用の指示用領域を確保することができる。それゆえ、上記の構成による効果に加えて、指示用領域を多く必要とするような種々のアプリケーションに対しても柔軟に対応することができるという効果を奏する。【００８１】  また、本発明に係る多重画像表示装置は、上記の構成に加えて、表示画面上に表示する画像を提供するソフトウエアをアプリケーションと称するとき、上記レイアウト制御部が、上記一つの表示画面上に同時に表示される画像同士について、表示される前から、それぞれの指示用領域が互いに異なる位置に配置されるように、指示用領域をあらかじめ各アプリケーションに割り当てるとともに、上記一つの表示画面上に同時に表示される画像のうち、ある画像のアプリケーションによる指示用領域のさらなる要求があった場合には、それ用の指示用領域として、上記あらかじめ割り当てた以外の領域を割り当てることが好ましい。【００８２】  上記の構成により、上記一つの表示画面上に同時に表示される画像同士について、表示される前から、それぞれの指示用領域が互いに異なる位置に配置されるように、指示用領域があらかじめ各アプリケーションに割り当てるとともに、上記一つの表示画面上に同時に表示される画像のうち、ある画像のアプリケーションによる指示用領域のさらなる要求があった場合には、それ用の指示用領域として、上記あらかじめ割り当てた以外の領域が割り当てられる。したがって、指示用領域の位置を一旦決めて重なっていれば重ならないように調整する、という処理を省略することができるとともに、同時に画像を表示させるアプリケーションのうちの一つ（自分アプリケーション）からみれば、他（相手アプリケーション）さえ使用していなければ、自分アプリケーション用の指示用領域を増やすことで、十分に自分用の指示用領域を確保することができる。それゆえ、上記の構成による効果に加えて、より簡素な構成で指示用領域を区別できるとともに、指示用領域を多く必要とするような種々のアプリケーションに対しても柔軟に対応することができるという効果を奏する。【００８３】  また、本発明に係る多重画像表示装置は、上記の構成に加えて、上記レイアウト制御部は、上記一つの表示画面上に同時に表示される画像同士について、指示用領域の位置を一旦決め、もし指示用領域が重なっていれば重ならないように、各指示用領域の位置を調整することが好ましい。【００８４】  上記の構成により、上記一つの表示画面上に同時に表示される画像同士について、指示用領域の位置を一旦決め、もし指示用領域が重なっていれば重ならないように、各指示用領域の位置が調整される。したがって、重ならないような指示用領域をあらかじめ決めておく処理や、それでは十分ではない場合に指示用領域の割り当てを増やす処理を省略することができる。それゆえ、上記の構成による効果に加えて、多種多様な指示用領域を必要とするような種々のアプリケーションに対しても柔軟に対応することができるという効果を奏する。【００８５】  また、本発明に係る多重画像表示装置は、上記の構成に加えて、表示画面上に表示する画像を提供するソフトウエアをアプリケーションと称するとき、上記一つの表示画面上に同時に表示される画像のうちのある一つの画像Ａのアプリケーションが上記表示画面全体をその画像Ａ用の指示用領域として要求しているときには、上記��イアウト制御部は、上記表示画面全体を上記画像Ａ用の指示用領域に割り当てるとともに、上記画像Ａと同時に表示される別の画像のアプリケーションが上記表示画面の一部を指示用領域として要求していてもその指示用領域を表示しないように、各指示用領域の配置を制御することが好ましい。【００８６】  上記の構成により、一つの表示画面上に同時に表示される画像のうちのある一つの画像Ａのアプリケーションが上記表示画面全体をその画像Ａ用の指示用領域として要求しているときには、上記表示画面全体が上記画像Ａ用の指示用領域に割り当てられるとともに、上記画像Ａと同時に表示される別の画像のアプリケーションが上記表示画面の一部を指示用領域として要求していてもその指示用領域が表示されない。したがって、ある画像Ａで表示画面全体を指示用領域としているときに、別の画像から関係のない入力をされることで画像Ａで意図しない入力がなされるのを防ぐことができる。それゆえ、上記の構成による効果に加えて、表示画面全体を指示用領域として必要とするようなアプリケーションに対しても柔軟に対応することができるという効果を奏する。【００８７】  また、本発明に係る多重画像表示装置は、上記の構成に加えて、上記表示画面全体が上記画像Ａ用の指示用領域に割り当てられているときに、上記レイアウト制御部は、その指示用領域に対し、ユーザから、上記表示画面全体を画像Ａ用の指示用領域とするのを終了させるに足る指示があったか否かを判断し、あった場合には、上記表示画面全体を上記画像Ａ用の指示用領域に割り当てるのを解除するとともに、上記画像Ａと同時に表示される別の画像のアプリケーションからその画像用の指示用領域の要求があればその指示用領域を表示するように、各指示用領域の配置を制御することが好ましい。【００８８】  上記の構成により、上記表示画面全体が上記画像Ａ用の指示用領域に割り当てられているときに、その指示用領域に対し、ユーザから、上記表示画面全体を画像Ａ用の指示用領域とするのを終了させるに足る指示があった場合には、上記表示画面全体を上記画像Ａ用の指示用領域に割り当てるのが解除されるとともに、上記画像Ａと同時に表示される別の画像のアプリケーションからその画像用の指示用領域の要求があればその指示用領域が表示される。【００８９】  例えばカーナビであれば、目的地を入力するための地図を表示するときに、表示画面全体をその地図用の指示用領域とする。【００９０】  上記表示画面全体を画像Ａ用の指示用領域とするのを終了させるに足る指示とは、例えば、アプリケーションからの要求に応じた入力や、そのような入力作業自体を破棄するような指示等が含まれる。例えばカーナビであれば、前者は、例えば、地図上に目的地を入力する作業であり、後者は、例えば、地図入力をやめてカーナビ内の地図以外の画面に移る作業や、カーナビ自体を終了させるような指示である。【００９１】  したがって、ある画像Ａで表示画面全体を指示用領域とする状況が終われば、別の画像用の指示用領域の表示の禁止が解除され、その指示用領域への入力が行えるようにすることができる。それゆえ、上記の構成による効果に加えて、表示画面全体を指示用領域として必要とするようなアプ��ケーションがあっても、その他のアプリケーションの操作性が低下するのを効果的に抑制することができるという効果を奏する。【００９２】  また、本発明に係る多重画像表示装置は、上記の構成に加えて、上記表示画面全体が上記画像Ａ用の指示用領域に割り当てられているときに、上記レイアウト制御部は、その指示用領域に対し、ユーザから、上記表示画面全体を画像Ａ用の指示用領域とするのを終了させるに足る指示が、一定時間以内にあったか否かを判断し、なかった場合には、上記表示画面全体を上記画像Ａ用の指示用領域に割り当てるのを解除するとともに、上記画像Ａと同時に表示される別の画像のアプリケーションからその画像用の指示用領域の要求があればその指示用領域を表示するように、各指示用領域の配置を制御することが好ましい。【００９３】  上記の構成により、上記表示画面全体が上記画像Ａ用の指示用領域に割り当てられているときに、その指示用領域に対し、ユーザから、上記表示画面全体を画像Ａ用の指示用領域とするのを終了させるに足る指示が一定時間以内になかった場合には、上記表示画面全体を上記画像Ａ用の指示用領域に割り当てるのが解除されるとともに、上記画像Ａと同時に表示される別の画像のアプリケーションからその画像用の指示用領域の要求があればその指示用領域が表示される。したがって、ある画像Ａで表示画面全体を指示用領域とする状況が必要以上に長く続くことで別の画像用の指示用領域の表示の禁止がいつまでも解除されない事態を効果的に防ぐことができる。それゆえ、上記の構成による効果に加えて、表示画面全体を指示用領域として必要とするようなアプリケーションがあっても、その他のアプリケーションの操作性が低下するのを効果的に抑制することができるという効果を奏する。【００９４】  また、本発明に係る多重画像表示プログラムは、コンピュータを上記のいずれかに記載の多重画像表示装置におけるレイアウト制御部として機能させるためのプログラムであることを特徴としている。【００９５】  また、本発明に係る多重画像表示プログラムを格納したコンピュータ読み取り可能な記録媒体は、上記多重画像表示を記憶したことを特徴としている。【００９６】  尚、発明を実施するための最良の形態の項においてなした具体的な実施態様または実施例は、あくまでも、本発明の技術内容を明らかにするものであって、そのような具体例にのみ限定して狭義に解釈されるべきものではなく、本発明の精神と特許請求の範囲内で、いろいろと変更して実施することができるものである。
【産業上の利用可能性】
【００９７】  複数の視点に対して異なる画像を表示することが可能な多重画像表示装置のような用途にも適用できる。
【図１】
0004468443.tif 000002
【図２】
0004468443.tif 000003
【図３】
0004468443.tif 000004
【図４】
0004468443.tif 000005
【図５】
0004468443.tif 000006
【図６】
0004468443.tif 000007
【図７】
0004468443.tif 000008
【図８】
0004468443.tif 000009
【図９】
0004468443.tif 000010
【図１０】
0004468443.tif 000011
【図１１】
0004468443.tif 000012
【図１２】
0004468443.tif 000013
【図１３】
0004468443.tif 000014
【図１４】
0004468443.tif 000015
【図１５】
0004468443.tif 000016
【図１６】
0004468443.tif 000017
【図１７】
0004468443.tif 000018